(57)【要約】【課題】今日一日のエネルギー消費効率（ＣＯＰ）を表示することが出来る貯湯式給湯装置を提供する。【解決手段】温水を貯湯する貯湯タンク６と、前記貯湯タンク６内の湯水を沸き上げる加熱部２と、表示部３１を備えたリモートコントローラ４とを備えた貯湯式給湯装置に於いて、一日のエネルギー消費効率を演算する消費効率演算部３４と、前記消費効率演算部３４で算出された前日までの過去数日分のエネルギー消費効率の平均値を記憶する平均値記憶部３８と、前記消費効率演算部３４によって今日一日のエネルギー消費効率を演算し平均値記憶部３８の平均値と比較する消費効率比較手段３９と、この比較結果を比率で前記リモートコントローラの表示部３１に表示する比率表示手段４０とを備えたので、更なる省エネへの挑戦意欲をかき立てることが出来るものである。【選択図】  図２
2009115332.tif 000002
【特許請求の範囲】
【請求項１】
温水を貯湯する貯湯タンクと、前記貯湯タンク内の湯水を沸き上げる加熱部と、表示部を備えたリモートコントローラとを備えた貯湯式給湯装置に於いて、一日のエネルギー消費効率を演算する消費効率演算部と、前記消費効率演算部で算出された前日までの過去数日分のエネルギー消費効率の平均値を記憶する平均値記憶部と、前記消費効率演算部によって今日一日のエネルギー消費効率を演算し平均値記憶部の平均値と比較する消費効率比較手段と、この比較結果を比率で前記リモートコントローラの表示部に表示する比率表示手段とを備えた事を特徴とする貯湯式給湯装置。
【請求項２】
温水を貯湯する貯湯タンクと、前記貯湯タンク内の湯水を沸き上げる加熱部と、表示部を備えたリモートコントローラとを備えた貯湯式給湯装置に於いて、前記貯湯タンク内の湯水の出湯温度を検出する出湯温度センサと、給水の温度を検出する給水温度センサと、貯湯タンク内の湯水の使用湯量をカウントする流量センサと、給湯装置の入力電流を検知する電流検知器とを備え、出湯温度センサからの出湯温度、給水温度センサからの給水温度、流量センサからの使用湯量、電流検知器からの入力電流値、又予め入力される待機電力、或いは追い焚き熱量や暖房用熱量等のその他の熱量、電源電圧等から一日のエネルギー消費効率を演算する消費効率演算部と、前記消費効率演算部で算出された前日までの過去数日分のエネルギー消費効率の平均値を記憶する平均値記憶部と、前記消費効率演算部によって今日一日のエネルギー消費効率を演算し平均値記憶部の平均値と比較する消費効率比較手段と、この比較結果を比率で前記リモートコントローラの表示部に表示する比率表示手段とを備えた事を特徴とする貯湯式給湯装置。
【発明の詳細な説明】
【技術分野】
【０００１】
この発明は、今日一日のエネルギー消費効率（以下ＣＯＰと称す）を表示することが出来る貯湯式給湯装置に関するものである。
【背景技術】
【０００２】
従来この種のものに於いては、加熱手段などの複数の電気的負荷の消費電力を検知する電力量検知手段により所定時間帯別に消費電力量を検知し、この検知した消費電力量を表示手段に表示するようにしたことで、使用者がどの時間帯に電力を利用したかを容易に把握出来、その表示内容を見て使用者はお湯の使い方を改善する等、電気の節約意識を向上することに反映させるものであった。（例えば、特許文献１参照。）
【特許文献１】特開２００３−１４３０１号公報
【発明の開示】
【発明が解決しようとする課題】
【０００３】
ところでこの従来のものでは、確かに電気の節約意識は向上するが、いちいち電気を使用するたびに確認しなければならず、極めて煩わしいものであり、又一日を通したトータル的な考え方がなく、最終的な結果が分からないと言う不具合を有するものであった。
【課題を解決するための手段】
【０００４】
この発明は上記課題を解決するために、特にその構成を、温水を貯湯する貯湯タンクと、前記貯湯タンク内の湯水を沸き上げる加熱部と、表示部を備えたリモートコントローラとを備えた貯湯式給湯装置に於いて、一日のエネルギー消費効率を演算する消費効率演算部と、前記消費効率演算部で算出された前日までの過去数日分のエネルギー消費効率の平均値を記憶する平均値記憶部と、前記消費効率演算部によって今日一日のエネルギー消費効率を演算し平均値記憶部の平均値と比較する消費効率比較手段と、この比較結果を百分率で前記リモートコントローラの表示部に表示する比率表示手段とを備えたものである。
【発明の効果】
【０００５】
以上のようにこの発明によれば、今日一日のＣＯＰを過去一週間の平均ＣＯＰとの比較で％で表示されるので、今日一日の節約度合いや効率良く温水が使用出来たかが、一目で分かり次の日の節約意識の向上にもつながるものであり、しかも消費効率が％表示されることで、効率の良さが分かり易い数字で使用者の頭に入りやすく、更なる省エネへの挑戦意欲をかき立てることが出来るものである。
【発明を実施するための最良の形態】
【０００６】
次に、本発明の一実施形態を図面に基づいて説明する。
１は貯湯タンクユニット、２はヒートポンプユニットよりなる加熱部、３は給湯栓、４はリモートコントローラ、５は電源である。
【０００７】
前記貯湯タンクユニット１は、湯水を貯湯する貯湯タンク６と、貯湯タンク４の上部に接続された出湯管７と、貯湯タンク６の下部に接続された給水管８と、出湯管７からの高温水と給水管８から分岐された分岐管９からの低温水とを混合するミキシング弁１０と、ミキシング弁８の下流に接続された給湯管１１と、給湯管１１に設けられた給湯温度センサ１２と、給湯管１１に設けられた給湯流量センサ１３と、給水管８に設けられた給水温度センサ１４と、出湯管７から分岐して接続された貯湯タンク６の過圧を逃す過圧逃し弁１５と、給水管８に設けられた入水圧を減圧する減圧弁１６と、貯湯タンク６の側面上下方向に複数設けられた貯湯温度センサ１７と、この貯湯タンクユニット１の制御を行うマイクロコンピュータで主に構成される給湯制御部１８と、貯湯タンク６と加熱部２とを接続して湯水を循環させる加熱循環回路１９とを備えて構成されている。
【０００８】
前記加熱部２は、二酸化炭素冷媒を圧縮するコンプレッサー２０と、凝縮器としての冷媒−水熱交換器２１と、減圧器２２と、蒸発器としての空気熱交換器２３よりなるヒートポンプ回路２４と、空気熱交換器２３に送風する送風機２５と、加熱循環回路１９途中に設けられた能力可変の循環ポンプ２６と、加熱循環回路１９の冷媒−水熱交換器２１入口側に設けられ、冷媒−水熱交換器２１に流入する湯水の温度を検出する熱交入口温度センサ２７と、加熱循環回路１９の冷媒−水熱交換器２１出口側に設けられ、冷媒−水熱交換器２１から流出する湯水の温度を検出する熱交出口温度センサ２８と、この加熱部２の制御を行うマイクロコンピュータを主に構成される加熱制御部２９とを備えて構成されている。
【０００９】
ここで、前記電源５は時間帯別電灯であり、夜間（ここでは２３時から翌７時まで）が割安な電力料金設定となっているもので、この割安な夜間電力を用いて夜間に一日に必要な貯湯熱量を沸かし上げて使用するものであり、また、この時間帯別電灯では昼間（７時から２３時まで）にも電力は供給される。なお、前記電源５は給湯制御部１８に接続され、この給湯制御部１８からリモートコントローラ４および加熱制御部２９（ヒートポンプ回路２４に必要な電力を含む）に有線にて通信信号が重畳されて電力供給されるものである。
【００１０】
そして、夜間時間帯になると前記給湯制御部１８が翌日に必要な貯湯熱量を演算し、この目標となる貯湯熱量を夜間時間帯の終了時までに沸き上げるよう加熱制御部２９に指示してヒートポンプ回路２４を作動させ、加熱循環回路１９の循環ポンプ２５を駆動開始する。そして、循環ポンプ２６の駆動により貯湯タンク６下部から取り出された湯水が加熱部２の冷媒−水熱交換器２１に流入して加熱され、加熱循環回路１９を介して貯湯タンク６の上部に戻されることにより高温の湯が貯湯される。
【００１１】
そして、貯湯タンク６の側面に設けられた貯湯温度センサ１７が所定の量の高温水が貯湯されたことを検出するか、または、熱交入口温度センサ２７が所定温度以上を検出すると、給湯制御部１８が加熱制御部２９へ加熱動作の停止を指令し、ヒートポンプ回路２４と循環ポンプ２６の作動が停止され、夜間時間帯の終了時までに貯湯動作を終了するものである。
【００１２】
なお、ここで、貯湯タンク６内に貯湯される熱量は給湯制御部１８により過去数日分の給湯負荷から適切と思われる熱量を目標貯湯熱量として算出されるもので、貯湯される湯水の温度は季節（または給水温度センサ１４で検出する給水温度）および目標貯湯熱量の大小によって６０℃〜９０℃の範囲で変動するものである。
【００１３】
前記リモートコントローラ４には給湯設定温度を設定するスイッチ等を含んだ操作部３０と、ドットマトリクス型の蛍光表示管よりなる表示部３１と、この表示部３１の駆動制御を行う表示ドライバ回路３２と、これら操作部３０、表示部３１、表示ドライバ回路３２を制御すると共に、前記給湯制御部１８と通信を行うマイクロコンピュータで主に構成されたリモコン制御部３３を備えており、前記表示部３１に操作部３０で設定された給湯設定温度や時刻情報および貯湯温度センサ１７で検知する残り貯湯量等が表示されるものである。なお、前記表示部３１はドットマトリクス型の液晶表示部としてもよい。
【００１４】
次に、給湯栓３を開くと、給水管８からの圧により貯湯タンク６上部の高温水が出湯管７に押し出され、給湯制御部１８により制御されるミキシング弁１０にて分岐管９の低温水と給湯温度センサ１２の検出する温度が前記リモートコントローラ４の操作部３０で設定された給湯設定温度になるように混合されて給湯管１１を介して給湯されるものである。
【００１５】
もしも給湯量が通常よりも多くなってしまい、昼間電力時間帯にて貯湯温度センサ１７で検出する残り貯湯量が少なくなったことを給湯制御部１８が検知し、貯湯タンク６内に貯湯された湯の湯切れが予想される場合は、その時点にて昼間電力を利用して必要な熱量の沸き増しが行われるものである。
【００１６】
次に、この発明の特徴的構成のこの実施形態を図２に示したブロック図を基に説明する。
３４は一日のＣＯＰを演算する消費効率演算部で、その実施形態を説明すると、この消費効率演算部３４は前記給湯制御部１７内に構成されており、ミキシング弁１０で給水が混ざる前の出湯管１１に設けられた、出湯温度Ｔ１を検出する出湯温度センサ３５と、出湯流量をカウントする出湯流量センサ３６から、給湯動作毎に出湯温度センサ３５からの出湯温度Ｔ１、給水温度センサ１４からの給水温度Ｔ０、出湯流量センサ３６のカウントした使用湯量Ａ、電源５と給湯制御部１７とを結ぶ途中に備えられた電流検知器３７の検知する入力電流Ｂとを入力し、そして予め入力されてある器具の待機電力Ｃ、ここでは他の熱量はなく、あとは電源電圧Ｄ（２００Ｖ）から、ＣＯＰ＝（Ｔ１−Ｔ０）×（Ａ＋Ｃ）／（Ｂ×Ｄ）の演算を順次行い、その一日のＣＯＰを記憶しておき、前日までの過去７日間のＣＯＰの平均値を算出して平均値記憶部３８に記憶し、今日一日のＣＯＰとこの平均ＣＯＰとを消費効率比較手段３９で比較し、この比較結果を表示ドライバ回路３２を介してリモートコントローラ４の表示部３１に表示させる比率表示手段４０を有するものである。
【００１７】
又この表示部３１の表示は、平均ＣＯＰを点線の横バー４１で表しこれを１００％とし、今日一日のＣＯＰを１００％の平均ＣＯＰに対して何％かを、横バー４１内に青色の色付きバー４２として９０％で平均より低い平均より効率が悪い、或いは１２０％で平均より効率よくお湯を使用しているとして表示するものである。
更にこの表示は操作部３０に新たにスイッチを追加するか、今あるスイッチの２つを同時に押圧する等の特殊操作で可能とするものである。
【００１８】
尚、過去７日間のＣＯＰで極端に高かったり、逆に極端に低いものは削除して演算には使用しないものであり、又一日経過する毎に一番古いＣＯＰと最新のＣＯＰとを入れ替えて、常に新しいデーターで平均ＣＯＰを算出しているものである。
【００１９】
このように、今日一日のＣＯＰを過去一週間の平均ＣＯＰとの比較で％で表示されるので、今日一日の節約度合いや効率良く温水が使用出来たかが、一目で分かり次の日の節約意識の向上にもつながるものであり、しかも消費効率が％表示されることで、効率の良さが分かり易い数字で使用者の頭に入りやすく、更なる省エネへの挑戦意欲をかき立てることが出来るものである。
【図面の簡単な説明】
【００２０】
【図１】この発明の一実施形態の概略構成図。
【図２】同要部のフローチャート。
【符号の説明】
【００２１】
２  加熱部
４  リモートコントローラ
６  貯湯タンク
３１  表示部
３４  消費効率演算部
３８  平均値記憶部
３９  消費効率比較手段
４０  比率表示手段
【図１】
2009115332.tif 000003
【図２】
2009115332.tif 000004